(57)【要約】【課題】書き換え可能な記録媒体が付された原稿の画像読み取りを制御するのに好適な画像読取装置、画像読取システム、画像形成装置、記録媒体、プログラム並びに画像読取方法を提供する。【解決手段】ディジタル複写機８０には、ブック原稿９００の画像を読み取るスキャナ部８０１と、ブック原稿９００に付され、前記画像の読み取りを管理するための管理情報が記録されたＩＣチップを読み取るＩＣ読取書込部８０７（読取部）と、ブック原稿９００の画像読み取りを指示する操作表示部８０２と、スキャナ部８０１を制御する制御部９０と、前記ＩＣチップに書き込むためのＩＣ読取書込部８０７（書込部）とを備え、操作表示部８０２の指示に応じて前記管理情報を更新可能としている。【選択図】        図１
2004312573.tif 000002
【特許請求の範囲】
【請求項１】
読み取りの対象となる対象情報が記録された第１の記録媒体から、前記対象情報の画像を読み取る第１の読取手段と、第１の記録媒体に付され、前記画像の読み取りを管理するための管理情報が記録された、書き込み可能な第２の記録媒体から前記管理情報を読み取る第２の読取手段と、第１の記録媒体の画像読み取りを指示するための指示情報を入力する指示入力手段と、第２の読取手段で取得された前記管理情報及び前記指示情報により、第１の読取手段の読み取り動作を制御する読取制御手段とを備えたことを特徴とする画像読取装置。
【請求項２】
前記第２の記録媒体に情報を書き込むための書込手段を備え、
前記指示入力手段から、前記第１の記録媒体の廃棄を前提として、前記第１の記録媒体の画像を読み取ることが指示入力された場合に、前記読取制御手段が、前記第１の読取手段に対して画像読み取りを指示すると共に、前記書込手段に対して前記管理情報の更新を指示するようにしたことを特徴とする請求項１に記載の画像読取装置。
【請求項３】
読み取りの対象となる対象情報が記録された第１の記録媒体から、前記対象情報の画像を読み取る第１の読取手段と、第１の記録媒体に付され、前記対象情報の識別情報が記録された、書き込み可能な第２の記録媒体から前記識別情報を読み取る第２の読取手段と、前記画像の読み取りを管理するための管理情報を前記識別情報と対応づけて記憶した記憶手段と、第１の記録媒体の画像読み取りを指示するための指示情報を入力する指示入力手段と、第２の読取手段で取得された前記識別情報に対応する、前記管理情報を前記記憶手段から取得し、前記管理情報及び前記指示情報により第１の読取手段の読み取り動作を制御する読取制御手段とを備え、
前記指示入力手段から、第１の記録媒体の廃棄を前提とし、第１の記録媒体の画像を読み取ることが指示入力された場合に、前記読取制御手段が、第１の読取手段に対して画像読み取りを指示すると共に、前記識別情報に対応する前記管理情報を更新するようにしたことを特徴とする画像読取装置。
【請求項４】
読み取りの対象となる対象情報が記録された第１の記録媒体から、前記対象情報の画像を読み取る第１の読取手段、第１の記録媒体に付され、前記対象情報の識別情報が記録された、書き込み可能な第２の記録媒体から前記識別情報を読み取る第２の読取手段、第１の記録媒体の画像読み取りを指示するための指示情報を入力する指示入力手段、第１の読取手段の読み取り動作を制御する読取制御手段、及びネットワーク上の通信装置と通信するための第１の通信手段を有する画像読取装置と、前記ネットワークを介して前記画像読取装置と通信するための第２の通信手段、前記画像の読み取りを管理するための管理情報を前記識別情報と対応づけて記憶した記憶手段、及び前記記憶手段に記憶された前記管理情報を更新する更新手段を有する管理装置とを備え、
前記指示入力手段から、第１の記録媒体の廃棄を前提として、第１の記録媒体の画像を読み取ることが指示入力された場合に、前記画像読取装置では、第１の読取手段が、前記読取制御手段の制御により画像読み取りを実行すると共に、第１の通信手段が、前記管理装置に対して前記識別情報を送信し、前記管理装置では、前記記憶手段が前記識別情報に対応する前記管理情報を取得し、第２の通信手段が前記管理情報を前記画像読取装置に対して送信し、前記画像読取装置では、前記読取制御手段が、送信された前記管理情報の更新の要否を判断し、判断の結果に応じ、第１の通信手段が前記管理装置に対して前記管理情報の更新を指示し、前記管理装置では、前記更新手段が前記管理情報を更新するようにしたことを特徴とする画像読取システム。
【請求項５】
読み取りの対象となる対象情報が記録された第１の記録媒体から、前記対象情報の画像を読み取る第１の読取手段、第１の記録媒体に付され、前記対象情報の識別情報が記録された、書き込み可能な第２の記録媒体から前記識別情報を読み取る第２の読取手段、第１の読取手段の読み取り動作を制御する読取制御手段、及び他の通信装置と通信するための第１の通信手段を有する画像読取装置と、前記画像の読み取りを管理するための管理情報の問合せ先を前記識別情報と対応づけて記憶した記憶手段、前記画像読取装置及び前記問合せ先と通信するための第２の通信手段、及び前記問合せ先に対する問合せ結果に応じて前記管理情報を更新する更新手段を有する管理装置とを備え、
前記画像読取装置では、第１の通信手段が前記管理装置に対して前記識別情報を送信し、前記管理装置では、前記記憶手段で前記識別情報に対応する前記問合せ先を検出し、第２の通信手段が前記問合せ先に問合せて問合せ結果を取得し、前記更新手段が前記問合せ結果に応じて前記管理情報を更新し、第２の通信手段が前記管理情報を前記画像読取装置に送信し、前記画像読取装置では、第１の通信手段が前記管理情報を取得し、前記読取制御手段が前記管理情報により第１の読取手段の読み取り動作を制御するようにしたことを特徴とする画像読取システム。
【請求項６】
読み取りの対象となる対象情報が記録された第１の記録媒体から、前記対象情報の画像を読み取る第１の読取手段、第１の記録媒体に付され、前記画像の読み取りを管理するための管理情報の問合せ先が記録された、書き込み可能な第２の記録媒体から前記問合せ先を読み取る第２の読取手段、第２の記録媒体に記録された情報を更新するための書き込みを行う書込手段、前記管理情報により第１の読取手段の読み取り動作を制御する読取制御手段、及び前記問合せ先と通信するための第１の通信手段を有する画像読取装置と、前記画像読取装置及び前記問合せ先と通信するための第２の通信手段を有する管理装置とを備え、
前記画像読取装置では、第１の通信手段が前記管理装置に対して前記問合せ先の情報を送信し、前記管理装置では、第２の通信手段が前記問合せ先に問合せ、問合せ結果を前記画像読取装置に送信し、前記画像読取装置では、前記書込手段が、前記管理装置からの前記問合せ結果に応じて第２の記録媒体に記録された情報を更新し、前記管理情報とするようにしたことを特徴とする画像読取システム。
【請求項７】
請求項１乃至３のいずれかに記載の画像読取装置を画像読取手段として用い、前記画像読取手段により取得された画像データから画像を形成して出力する画像形成手段を備えたことを特徴とする画像形成装置。
【請求項８】
コンピュータに、読み取りの対象となる対象情報が記録された第１の記録媒体に付され、前記対象情報の画像読み取りを管理するための管理情報が記録された、書き込み可能な第２の記録媒体から前記管理情報を読み取る第１のステップと、第１の記録媒体の画像読み取りを指示するための指示情報を受け取って入力する第２のステップと、第２のステップで、第１の記録媒体の廃棄を前提とし、第１の記録媒体の画像を読み取ることが指示入力された場合に、第１の記録媒体の画像を読み取る第３のステップと、第２のステップで、第１の記録媒体の廃棄を前提とし、第１の記録媒体の画像を読み取ることが指示入力された場合に、第２の記録媒体に対する書き込みを行って前記管理情報を更新する第４のステップとを実行させるためのプログラムを記録したコンピュータ読み取り可能な記録媒体。
【請求項９】
コンピュータに、読み取りの対象となる対象情報が記録された第１の記録媒体に付され、前記対象情報の画像読み取りを管理するための管理情報が記録された、書き込み可能な第２の記録媒体から前記管理情報を読み取る第１のステップと、第１の記録媒体の画像読み取りを指示するための指示情報を受け取って入力する第２のステップと、第２のステップで、第１の記録媒体の廃棄を前提とし、第１の記録媒体の画像を読み取ることが指示入力された場合に、第１の記録媒体の画像を読み取る第３のステップと、第２のステップで、第１の記録媒体の廃棄を前提とし、第１の記録媒体の画像を読み取ることが指示入力された場合に、第２の記録媒体に対する書き込みを行って前記管理情報を更新する第４のステップとを実行させるためのプログラム。
【請求項１０】
読み取りの対象となる対象情報が記録された第１の記録媒体に付され、前記対象情報の画像読み取りを管理するための管理情報が記録された、書き込み可能な第２の記録媒体から前記管理情報を読み取る第１のステップと、第１の記録媒体の画像読み取りを指示するための指示情報を受け取って入力する第２のステップと、第２のステップで、第１の記録媒体の廃棄を前提とし、第１の記録媒体の画像を読み取ることが指示入力された場合に、第１の記録媒体の画像を読み取る第３のステップと、第２のステップで、第１の記録媒体の廃棄を前提とし、第１の記録媒体の画像を読み取ることが指示入力された場合に、第２の記録媒体に対する書き込みを行って前記管理情報を更新する第４のステップとを実行することを特徴とする画像読取方法。
【発明の詳細な説明】
【０００１】
【発明の属する技術分野】
本発明は、記録媒体（書籍、雑誌などの紙媒体を含む）から画像を読み取る画像読取装置、画像読取システム、画像形成装置、記録媒体、プログラム並びに画像読取方法に関するものである。
【０００２】
【従来の技術】
従来の画像入力装置は、メインスキャナで読み取った複写対象の画像データをバッファに保持し、サブスキャナで読み取った複写対象の識別子に対応する複写条件により複写の可否を判断し、複写可能な場合には前記バッファの画像データを出力するようにしている（例えば、特許文献１参照）。
【０００３】
また、ブック原稿を読み取る読取モードと、ブック原稿を読み取って得られた原稿情報を出力する出力先との組合せの可否を決定し、前記原稿情報がネットワーク上の外部情報機器へ無制限に流出することを防止しているものもある（例えば、特許文献２参照）。
【０００４】
なお、片綴じ原稿（「ブック原稿」に相当する）に記された、識別情報に対応づけられた著作権情報によって複写単価を設定して提示し、承諾された場合に、スキャナによって前記片綴じ原稿の画像情報を読み取るようにしているものもある（例えば、特許文献３参照）。
【０００５】
【特許文献１】
特開２００２‐２０９０３９号公報（図４）
【０００６】
【特許文献２】
特開平９‐８９６５号公報（図９）
【０００７】
【特許文献３】
【発明が解決しようとする課題】
しかしながら、「特許文献１」、「特許文献２」のような従来の画像読取装置では、読み取った原稿画像の出力を制御しているために、原稿画像の読み取りを制御する点については配慮がなされていなかった。なお、「特許文献１」、「特許文献２」、「特許文献３」のいずれにも書き換え可能なＩＣチップ及び通信用のアンテナを付したブック原稿を読み取ることについては言及されていない。
【０００８】
本発明は、このような問題を解決するためになされたもので、書き換え可能な記録媒体が付された原稿の画像読み取りを制御するのに好適な画像読取装置、画像読取システム、画像形成装置、記録媒体、プログラム並びに画像読取方法を提供するものである。
【０００９】
【課題を解決するための手段】
請求項１に係る本発明の画像読取装置は、読み取りの対象となる対象情報が記録された第１の記録媒体から、前記対象情報の画像を読み取る第１の読取手段と、第１の記録媒体に付され、前記画像の読み取りを管理するための管理情報が記録された、書き込み可能な第２の記録媒体から前記管理情報を読み取る第２の読取手段と、第１の記録媒体の画像読み取りを指示するための指示情報を入力する指示入力手段と、第２の読取手段で取得された前記管理情報及び前記指示情報により、第１の読取手段の読み取り動作を制御する読取制御手段とを備えた構成を有している。
【００１０】
請求項２に係る本発明の画像読取装置は、請求項１において、前記第２の記録媒体に情報を書き込むための書込手段を備え、前記指示入力手段から、前記第１の記録媒体の廃棄を前提として、前記第１の記録媒体の画像を読み取ることが指示入力された場合に、前記読取制御手段が、前記第１の読取手段に対して画像読み取りを指示すると共に、前記書込手段に対して前記管理情報の更新を指示するようにした構成を有している。
【００１１】
請求項３に係る本発明の画像読取装置は、読み取りの対象となる対象情報が記録された第１の記録媒体から、前記対象情報の画像を読み取る第１の読取手段と、第１の記録媒体に付され、前記対象情報の識別情報が記録された、書き込み可能な第２の記録媒体から前記識別情報を読み取る第２の読取手段と、前記画像の読み取りを管理するための管理情報を前記識別情報と対応づけて記憶した記憶手段と、第１の記録媒体の画像読み取りを指示するための指示情報を入力する指示入力手段と、第２の読取手段で取得された前記識別情報に対応する、前記管理情報を前記記憶手段から取得し、前記管理情報及び前記指示情報により第１の読取手段の読み取り動作を制御する読取制御手段とを備え、前記指示入力手段から、第１の記録媒体の廃棄を前提とし、第１の記録媒体の画像を読み取ることが指示入力された場合に、前記読取制御手段が、第１の読取手段に対して画像読み取りを指示すると共に、前記識別情報に対応する前記管理情報を更新するようにした構成を有している。
【００１２】
請求項４に係る画像読取システムは、読み取りの対象となる対象情報が記録された第１の記録媒体から、前記対象情報の画像を読み取る第１の読取手段、第１の記録媒体に付され、前記対象情報の識別情報が記録された、書き込み可能な第２の記録媒体から前記識別情報を読み取る第２の読取手段、第１の記録媒体の画像読み取りを指示するための指示情報を入力する指示入力手段、第１の読取手段の読み取り動作を制御する読取制御手段、及びネットワーク上の通信装置と通信するための第１の通信手段を有する画像読取装置と、前記ネットワークを介して前記画像読取装置と通信するための第２の通信手段、前記画像の読み取りを管理するための管理情報を前記識別情報と対応づけて記憶した記憶手段、及び前記記憶手段に記憶された前記管理情報を更新する更新手段を有する管理装置とを備え、前記指示入力手段から、第１の記録媒体の廃棄を前提として、第１の記録媒体の画像を読み取ることが指示入力された場合に、前記画像読取装置では、第１の読取手段が、前記読取制御手段の制御により画像読み取りを実行すると共に、第１の通信手段が、前記管理装置に対して前記識別情報を送信し、前記管理装置では、前記記憶手段が前記識別情報に対応する前記管理情報を取得し、第２の通信手段が前記管理情報を前記画像読取装置に対して送信し、前記画像読取装置では、前記読取制御手段が、送信された前記管理情報の更新の要否を判断し、判断の結果に応じ、第１の通信手段が前記管理装置に対して前記管理情報の更新を指示し、前記管理装置では、前記更新手段が前記管理情報を更新するようにした構成を有している。
【００１３】
請求項５に係る本発明の画像読取システムは、読み取りの対象となる対象情報が記録された第１の記録媒体から、前記対象情報の画像を読み取る第１の読取手段、第１の記録媒体に付され、前記対象情報の識別情報が記録された、書き込み可能な第２の記録媒体から前記識別情報を読み取る第２の読取手段、第１の読取手段の読み取り動作を制御する読取制御手段、及び他の通信装置と通信するための第１の通信手段を有する画像読取装置と、前記画像の読み取りを管理するための管理情報の問合せ先を前記識別情報と対応づけて記憶した記憶手段、前記画像読取装置及び前記問合せ先と通信するための第２の通信手段、及び前記問合せ先に対する問合せ結果に応じて前記管理情報を更新する更新手段を有する管理装置とを備え、前記画像読取装置では、第１の通信手段が前記管理装置に対して前記識別情報を送信し、前記管理装置では、前記記憶手段で前記識別情報に対応する前記問合せ先を検出し、第２の通信手段が前記問合せ先に問合せて問合せ結果を取得し、前記更新手段が前記問合せ結果に応じて前記管理情報を更新し、第２の通信手段が前記管理情報を前記画像読取装置に送信し、前記画像読取装置では、第１の通信手段が前記管理情報を取得し、前記読取制御手段が前記管理情報により第１の読取手段の読み取り動作を制御するようにした構成を有している。
【００１４】
請求項６に係る本発明の画像読取システムは、読み取りの対象となる対象情報が記録された第１の記録媒体から、前記対象情報の画像を読み取る第１の読取手段、第１の記録媒体に付され、前記画像の読み取りを管理するための管理情報の問合せ先が記録された、書き込み可能な第２の記録媒体から前記問合せ先を読み取る第２の読取手段、第２の記録媒体に記録された情報を更新するための書き込みを行う書込手段、前記管理情報により第１の読取手段の読み取り動作を制御する読取制御手段、及び前記問合せ先と通信するための第１の通信手段を有する画像読取装置と、前記画像読取装置及び前記問合せ先と通信するための第２の通信手段を有する管理装置とを備え、前記画像読取装置では、第１の通信手段が前記管理装置に対して前記問合せ先の情報を送信し、前記管理装置では、第２の通信手段が前記問合せ先に問合せ、問合せ結果を前記画像読取装置に送信し、前記画像読取装置では、前記書込手段が、前記管理装置からの前記問合せ結果に応じて第２の記録媒体に記録された情報を更新し、前記管理情報とするようにした構成を有している。
【００１５】
請求項７に係る本発明の画像形成装置は、請求項１乃至３のいずれかに記載の画像読取装置を画像読取手段として用い、前記画像読取手段により取得された画像データから画像を形成して出力する画像形成手段を備えた構成を有している。
【００１６】
請求項８に係る本発明の記録媒体は、コンピュータに、読み取りの対象となる対象情報が記録された第１の記録媒体に付され、前記対象情報の画像読み取りを管理するための管理情報が記録された、書き込み可能な第２の記録媒体から前記管理情報を読み取る第１のステップと、第１の記録媒体の画像読み取りを指示するための指示情報を受け取って入力する第２のステップと、第２のステップで、第１の記録媒体の廃棄を前提とし、第１の記録媒体の画像を読み取ることが指示入力された場合に、第１の記録媒体の画像を読み取る第３のステップと、第２のステップで、第１の記録媒体の廃棄を前提とし、第１の記録媒体の画像を読み取ることが指示入力された場合に、第２の記録媒体に対する書き込みを行って前記管理情報を更新する第４のステップとを実行させるためのプログラムを記録している。
【００１７】
請求項９に係る本発明のプログラムは、コンピュータに、読み取りの対象となる対象情報が記録された第１の記録媒体に付され、前記対象情報の画像読み取りを管理するための管理情報が記録された、書き込み可能な第２の記録媒体から前記管理情報を読み取る第１のステップと、第１の記録媒体の画像読み取りを指示するための指示情報を受け取って入力する第２のステップと、第２のステップで、第１の記録媒体の廃棄を前提とし、第１の記録媒体の画像を読み取ることが指示入力された場合に、第１の記録媒体の画像を読み取る第３のステップと、第２のステップで、第１の記録媒体の廃棄を前提とし、第１の記録媒体の画像を読み取ることが指示入力された場合に、第２の記録媒体に対する書き込みを行って前記管理情報を更新する第４のステップとを実行させている。
【００１８】
請求項１０に係る本発明の画像読取方法は、読み取りの対象となる対象情報が記録された第１の記録媒体に付され、前記対象情報の画像読み取りを管理するための管理情報が記録された、書き込み可能な第２の記録媒体から前記管理情報を読み取る第１のステップと、第１の記録媒体の画像読み取りを指示するための指示情報を受け取って入力する第２のステップと、第２のステップで、第１の記録媒体の廃棄を前提とし、第１の記録媒体の画像を読み取ることが指示入力された場合に、第１の記録媒体の画像を読み取る第３のステップと、第２のステップで、第１の記録媒体の廃棄を前提とし、第１の記録媒体の画像を読み取ることが指示入力された場合に、第２の記録媒体に対する書き込みを行って前記管理情報を更新する第４のステップとを実行している。
【００１９】
【発明の実施の形態】
以下、本発明の実施の形態について、図面を用いて説明する。なお、従来の画像読取装置では、書き換え可能な記録媒体が付されたブック原稿を読み取り対象としていないので、画像読み取り（「複写サービス」を含む）の種類が限定されていた。例えば、個人利用の本を電子化して残したい場合、本のＩＤ管理などでは、画像読み取りの種類に関らず、複写の可否の判断しかできなかった。これに対し、本発明のそれぞれの実施形態では、書き換え可能な記録媒体を用いることで、著作権の有無に配慮しながら、本の電子化を１回に限って許可している。さらに、本のＩＤ管理を行う場合、あるいは書き換え不可能な記録媒体が付されたブック原稿を読み取る場合でも、管理サーバ側の情報を、ブック原稿の読取履歴に応じて修正することで、多様なサービスを実現している。
【００２０】
［第１の実施形態］
図１は、本発明の第１の実施形態に係るディジタル複写機（「画像読取手段」、「画像読取装置」、「画像形成装置」に含まれる）の構成を示す。
【００２１】
ディジタル複写機８０において、コンタクトガラス上の原稿セット部８０１には、ブック原稿９００（図３に示す）などの画像読取対象が、画像面を下向きにして載置される。操作表示部８０２（「指示入力手段」に含まれる）は、液晶ディスプレイ８０２ａなどの表示器、及びテンキー８０２ｂ、スタート／ストップキー、ファンクションキー、Ｙｅｓ／Ｎｏキー、カーソルキー、各種モード設定キーなどのキー類を備え、使用者が、ディジタル複写機８０の操作情報、後述する入力指示のための指示情報などを入力するために用いるものである。スキャナ部８０３（「第１の読取手段」、「画像読取手段」に含まれる）は、コンタクトガラス上に載置された原稿を押えるための圧板８０６を具備し、シート原稿やブック原稿（図３の本９００に相当する）などの画像を読み取り、制御部９０（図２に示す）のメインメモリ又は記憶部８９のバッファメモリへ格納するものである。また、圧板８０６は、スキャナ部８０３上部にヒンジなどの連結部材で開閉可能に連結され、コンタクトガラス上の原稿を押えると共に、その底面が画像読み取り時の白色基準として用いられるものである。圧板開閉センサ８０８は、圧板８０６の開閉状態を検知するものである。また、圧板開閉センサ８０８の検知情報は制御部９０へ送られる。ＩＣリーダ・ライタ８０７（「第２の読取手段」、「書込手段」に含まれる）は、コンタクトガラス上に載置されたブック原稿に付された、ＩＣチップ９０１ａ（図３に示す）に記録された管理情報（「読取条件」を含む）のデータを読み取るものである。また、ＩＣリーダ・ライタ８０７が読み取った管理情報は、制御部９０へ送信するようにしている。前記管理情報には、本に付与された「ＩＤ番号（「識別情報」に含まれる）」、「著作権情報（「著作権発生日」を含む）」が含まれている。プリンタ部８０４（「画像形成手段」に含まれる）は、スキャナ部８０３から入力された原画像、圧縮画像あるいは記憶部８９（図２に示す）に記憶されている本画像（著作権が消滅したブック原稿を電子化したもの）などを印刷用紙（記録紙に相当する）に印刷するものである。給紙部８０５は、プリンタ部８０４へ印刷用紙を給送するものである。通信部８０９（「第１の通信手段」に含まれる）は、ディジタル複写機８０を公衆電話網、インターネットなどのネットワークと接続し、このネットワーク上の通信装置と通信するためのものである。
【００２２】
図２は、ディジタル複写機８０の制御系を示す。
【００２３】
この制御系において、制御部９０（「読取制御手段」に含まれる）は、マイクロコンピュータなどで構成され、マイクロプロセッサ（以下、「ＭＰＵ」という）、メインメモリを有している。ＭＰＵは、装置全体を制御し、本実施形態の読取制御機能（「入力制御機能」に含まれる）を実現するものである。また、ＭＰＵは、時計機能を有している。また、ＭＰＵは、ブック原稿に記された「ＩＳＢＮ」、「ＩＳＳＮ」などの識別コード（「識別情報」に含まれる）をスキャナ部８０１で読み取り、それぞれの本の識別子として認識するためのコード認識機能を有している。メインメモリは、ＲＯＭやＲＡＭなどで構成され、ＭＰＵの制御プログラムを記憶すると共に、この制御プログラムがＭＰＵによって実行されるときにー時的に作成される情報などを保持するものである。
【００２４】
また、制御部９０には、圧板開閉検知部８８（圧板開閉センサ８０８に相当する）、記憶部８９（「記憶手段」に含まれる）、原稿セット部８０１、ＩＣ読取書込部８７（ＩＣリーダ・ライタ８０７に相当する）、操作部８２ｂ（テンキー８０２ｂなどのキー類を含む）、表示部８２ａ（液晶ディスプレイ８０２ａを含む）、プリンタ部８０４、通信部８０９などが接続され、また、前述した各部８２ａ、８２ｂ、８７、８８、８０１、８０４、８０９の機構を駆動する駆動部（例えば、ステッピングモータ、ソレノイドなど）が接続されている。さらに、制御部９０は、圧板開閉検知部８８などのセンサ類からの検知情報、原稿セット部８０１、プリンタ部８０４、ＩＣ読取部８７、通信部８０９などの状態情報、操作部８２ｂからの入力情報を受け取り、これらの情報により前記駆動部を駆動制御するようにしている。
【００２５】
記憶部８９は、ハードディスク・ドライブ、ハードディスクなどからなる記憶装置であり、このハードディスクは、入出力情報を一時保持するための「バッファメモリ」として用いられると共に、著作権が消滅した本の情報（記載内容）、本の情報を読み取って入力するときの制御に用いられる管理情報を含む電子データ（以下「データ」という）を本ごとに蓄積するための「保存用メモリ」として用いられるものである。ここでは、前記本のデータに、「頁画像データ」、「テキストデータ」、「サンプルデータ」を含み、前記管理情報のデータには、「ＩＤ番号（「識別情報」に含まれる）のデータ」、「著作権発生日のデータ」、「原本廃棄情報のデータ」、「ログデータ」を含むようにしている。なお、「原本廃棄情報」とは、原本廃棄に伴う電子化が既に行われたか否かを示すものである。
【００２６】
図３は、本実施形態で読み取り及び出力対象となるブック原稿を示す。
【００２７】
図３に示す本（ブック原稿）９００（「第１の記録媒体（記録紙に相当する）」に含まれる）のうち、著作権が消滅したものの記載内容は予め電子化されており、本ごとのデータが記憶部８９に記憶されている。また、本９００（書籍、雑誌を含む）の背表紙には、書名「○○○××」が記されると共に、公知の非接触読取型データキャリア「ＲＦＩＤ（Ｒａｄｉｏ  Ｆｒｅｑｕｅｎｃｙ  Ｉｄｅｎｔｉｆｉｃａｔｉｏｎ）」９０１が取り付けられている（特開２０００‐２４２７５４号公報、特開２００１‐１６０１１７号公報参照）。このＲＦＩＤ９０１は、データ記憶用のＩＣチップ９０１ａ（「第２の記録媒体」に含まれる）と通信用のアンテナ９０１ｂとを内蔵しており、このＩＣチップ９０１ａには、ディジタル複写機８０が本９００のデータの読み取り入力を管理するための管理情報（「読取条件」を含む）のデータが記憶されている。また、本９００がコンタクトガラス上に載置された状態で、ＩＣリーダ・ライタ８０７がアンテナ９０２ｂを介して前記管理情報を読み取るようにしている。読み取られた前記管理情報は、制御部９０へ送られる。
【００２８】
次に、本実施形態に係る読取制御プログラムを説明する。この読取制御プログラムは、前記ＭＰＵ（コンピュータに含まれる）に、図４に示すステップを実行させるものである。ここでは、使用者がブック原稿９００をコンタクトガラス上に載置したときに、前記管理情報により本９００の画像読み取りを実行又は禁止する場合を示す。
【００２９】
まず、ＭＰＵは、圧板８０６が開放されてコンタクトガラス上にブック原稿９００が載置され、さらに圧板８０６が閉じられたか否かを判断する（Ｓ１００）。ここでは、圧板開閉センサ８０８の検知信号により、圧板８０６が閉状態から開状態へ移り、再び閉状態に移ったか否かを判断する。この判断が「ＹＥＳ」の場合はＳ１０１に移り、「ＮＯ」の場合には何の処理も行わない。
【００３０】
Ｓ１０１では、図５に示す「サービスメニュー」画面を液晶ディスプレイ８０２ａに表示する。ここで、「１．電子化サービス（原本保持）」は、使用者がブック原稿９００を所持したまま、ブック原稿９００を電子化して保存するというサービスである。「２．電子化サービス（原本廃棄）」は、使用者がブック原稿９００を廃棄するのに伴い、ブック原稿９００を電子化して保存するというサービスである。「３．複写サービス」は、使用者がブック原稿９００を所持したまま、所望の頁を読み取って記録紙に複写印刷するというサービスである。これらのサービスを利用したときのサービス料金は、それぞれ異なるように設定している。例えば、著作権が有効なブック原稿に対するサービス料金は、著作権が消滅したブック原稿に対するサービス料金よりも高額に設定している。また、原本廃棄に伴う電子化のサービス料金は、原本保持に伴う電子化のサービス料金よりも低額に設定している。このようにサービス料金を設定するのは、著作権に配慮するためである。
【００３１】
次いで、ＭＰＵは、ＩＣリーダ・ライタ８０７に、ブック原稿９００の背表紙に添付されたＩＣチップ９０１ａに記憶された管理情報のデータを非接触で読み取らせる（Ｓ１０２）。ここでは、「ＩＤ番号」、「著作権発生日」、「原本廃棄情報」などが読み取られ、制御部９０へ送られる。
【００３２】
次いで、ＭＰＵは、操作部８０２ｂの操作で、「３．複写サービス」が選択されたか否かを判断する（Ｓ１０３）。ここでは、操作部８０２ｂのキー操作などにより、液晶ディスプレイ８０２ａの「サービスメニュー」画面から「３．複写サービス」が指示入力され、所定の指示信号が送られたか否かを判断する。この判断が「ＹＥＳ」の場合はＳ１１１に移り、「ＮＯ」の場合にはＳ１０４に移る。
【００３３】
Ｓ１０４では、操作部８０２ｂの操作で、「２．電子化サービス」が選択されたか否かを判断する。この判断が「ＹＥＳ」の場合はＳ１０５に移り、「ＮＯ」の場合にはＳ１１６に移る。
【００３４】
Ｓ１０５では、ブック原稿９００の背表紙に添付されたＩＣチップ９０１ａに記憶された管理情報のデータが変更可能か否かを判断する。ここでは、ＭＰＵの時計機能で計時された「年月日」と、Ｓ１０２で取得された「著作権発生日」とを比較し、著作権が有効であるか否かを判断する。また、「原本廃棄情報」により、「原本廃棄」に伴う電子化がまだ行われていないか否かを判断する。すなわち、著作権が有効であって、原本廃棄がまだ行われていない場合は、「ＹＥＳ」と判断してＳ１０６に移り、「ＮＯ」と判断した場合には、処理を終了して画像読み取りを行わない。
【００３５】
Ｓ１０６では、ＩＣリーダ・ライタ８０７により、ブック原稿９００の背表紙に添付されたＩＣチップ９０１ａに記憶された管理情報のデータを非接触で書き換える。ここでは、「原本廃棄情報」として「原本廃棄済み」を設定する。
【００３６】
次いで、ＭＰＵは、スキャナ部８０３によりブック原稿９００の開かれている頁の画像を読み取らせ、頁数をカウントする（Ｓ１０７）。例えば、原稿サイズにより、１頁分又は２頁分をカウントアップする。ここでカウントされた頁数は、制御部９０に送られて記憶される。
【００３７】
次いで、ＭＰＵは、Ｓ１０７で読み取られた画像の画像データを、記憶部８９の「保存用メモリ」に保存する（Ｓ１０８）。
【００３８】
次いで、ＭＰＵは、画像読み取りが終了したか否かを判断する（Ｓ１０９）。例えば、操作部８０２ｂの「ストップキー」が押下されたか否かを判断する。この判断が「ＹＥＳ」の場合はＳ１１０に移り、「ＮＯ」の場合にはＳ１０７に移る。
【００３９】
Ｓ１１０では、図６に示す「サービス料金」画面を液晶ディスプレイ８０２ａに表示する。ここで、「頁単価」は、「著作権の有無」、読取対象の「総頁数」、「読み取った頁数」に応じて設定される。「頁数」は、前記「読み取った頁数」に相当する。「合計」は、前記「頁単価」に前記「頁数」を乗じたものである。
【００４０】
また、Ｓ１０３の判断が「ＮＯ」の場合は、Ｓ１１１で「原本廃棄情報」により「原本廃棄済み」であるか否かを判断する。この判断が「ＮＯ」の場合はＳ１１２に移り、「ＹＥＳ」の場合には処理を終了して画像読み取りを行わない。
【００４１】
Ｓ１１２では、Ｓ１０７に準じ、スキャナ部８０３によりブック原稿９００の開かれている頁の画像を読み取らせ、頁数をカウントする。
【００４２】
次いで、ＭＰＵは、Ｓ１１２で読み取られた画像データを印刷データとしてプリンタ部８０４に送り、出力を指示する。この指示タイミングにより、給紙部８０５からプリンタ部８０４へ所定サイズの印刷用紙が給送される。プリンタ部８０４は、前記印刷データを給紙部８０５からの印刷用紙に出力する（Ｓ１１３）。
【００４３】
次いで、ＭＰＵは、Ｓ１０９に準じ、画像読み取りが終了したか否かを判断する（Ｓ１１４）。この判断が「ＹＥＳ」の場合はＳ１１５に移り、「ＮＯ」の場合にはＳ１１２に移る。
【００４４】
Ｓ１１５では、Ｓ１１０に準じて「サービス料金」画面を液晶ディスプレイ８０２ａに表示する。
【００４５】
また、Ｓ１０４の判断が「ＮＯ」の場合は、Ｓ１１６で「原本廃棄情報」により「原本廃棄済み」であるか否かを判断する。この判断が「ＮＯ」の場合はＳ１０７に移り、「ＹＥＳ」の場合には処理を終了して画像読み取りを行わない。
【００４６】
なお、Ｓ１０２が「第１のステップ」に含まれる。Ｓ１０３、Ｓ１０４が「第２のステップ」に含まれる。Ｓ１０７が「第３のステップ」に含まれる。Ｓ１０６が「第４のステップ」に含まれる。
【００４７】
以上のように、本発明の第１の実施形態に係るディジタル複写機８０（「画像読取装置」に含まれる）は、読み取りの対象となる対象情報が記録されたブック原稿９００（「第１の記録媒体」に含まれる）から、前記対象情報の画像を読み取るスキャナ部８０１（「第１の読取手段」に含まれる）と、ブック原稿９００に付され、前記画像の読み取りを管理するための管理情報が記録されたＩＣチップ９０１ａ（「書き込み可能な第２の記録媒体」に含まれる）から前記管理情報を読み取るＩＣ読取書込部８７の読取部（「第２の読取手段」に含まれる）と、ブック原稿９００の画像読み取りを指示するための指示情報を入力する操作表示部８０２（「指示入力手段」に含まれる）と、ＩＣ読取書込部８７で取得された前記管理情報及び前記指示情報により、スキャナ部８０１の読み取り動作を制御する制御部９０（「読取制御手段」に含まれる）とを備えているので、ＲＦＩＤを付したブック原稿９００の画像読み取りを制御し、ブック原稿９００の著作権を保護することできる。
【００４８】
また、本実施形態のディジタル複写機８０は、ＩＣチップ９０１ａに情報を書き込むためのＩＣ読取書込部８７の書込部（「書込手段」に含まれる）を備え、操作表示部８０２から、ブック原稿９００の廃棄を前提として、ブック原稿９００の画像を読み取ることが指示入力された場合に、制御部９０が、スキャナ部８０１に対して画像読み取りを指示すると共に、ＩＣ読取書込部８７に対して前記管理情報の更新を指示するようにしているので、画像読み取りの種類を増すことができる。例えば、個人的に購入した本などを、電子化して手元に残したい場合、個人で利用する限りは著作権上の問題は発生しないにも拘らず、本ＩＤなどによる管理では、画像読み取りの種類に応じて複写の可否の柔軟に判断することができない。これに対し、本実施形態によれば、書き換え可能なＩＣチップ９０１ａをブック原稿９００に付することで、例えば、ブック原稿９００の廃棄を前提とした場合には、１回に限って電子化を行うという「２．電子化サービス」を提供できることとなる。
【００４９】
なお、上述した実施形態ではＩＣチップ９０１ａに記憶された「原本廃棄情報」により「原本廃棄済み」のとき、処理を終了して画像読み取りを行わないようにした場合について説明したが、本発明はこのほかに、「ブック原稿９００のデータが原本廃棄を前提として既に１回電子化されているため、さらに電子化することができない旨」の「エラーメッセージ」を液晶ディスプレイ８０２ａに表示するようにしても同様の効果が得られるものである。
【００５０】
また、上述した実施形態ではＩＣチップ９０１ａに「原本廃棄情報」などの「管理情報」を記憶した場合について説明したが、本発明はこのほかに、ＩＣチップ９０１ａに「ＩＤ番号」などの「識別情報」を記憶し、記憶部８９に前記識別情報と対応づけて前記管理情報を記憶しても同様の効果が得られるものである。
【００５１】
例えば、ディジタル複写機（図１の８０に相当する）に、読み取りの対象となる対象情報が記録されたブック原稿（図３の９００に相当する）から、前記対象情報の画像を読み取るスキャナ部（図１の８０１に相当する）と、前記ブック原稿に付され、前記対象情報の識別情報（「ＩＤ番号」など）が記録された、書き込み可能なＩＣチップ（図３の９０１ａに相当する）から前記識別情報を読み取るＩＣリーダ・ライタ（図１の８０７に相当する）と、前記画像の読み取りを管理するための管理情報（「原本廃棄情報」など）を前記識別情報と対応づけて記憶した記憶部（図２の８９に相当する）と、前記ブック原稿の画像読み取りを指示するための指示情報を入力する操作表示部（図１の８０２に相当する）と、前記ＩＣリーダ・ライタで取得された前記識別情報に対応する、前記管理情報を前記記憶部から取得し、前記管理情報及び前記指示情報により前記スキャナ部の読み取り動作を制御する制御部（図２の９０に相当する）とを備え、前記操作表示部から、前記ブック原稿の廃棄を前提とし、前記ブック原稿の画像を読み取ることが指示入力された場合に、前記制御部が、前記スキャナ部に対して画像読み取りを指示すると共に、前記識別情報に対応する前記管理情報を更新するように構成する。この構成が、請求項３に係る本発明の画像読取装置の一実施形態である。
【００５２】
［第２の実施形態］
図７は、本発明の第２の実施形態に係る画像読取システムを示す。なお、本実施形態のディジタル複写機８０は、第１の実施形態と概ね同様の構成を有しているために、図１、図２を用いると共に、同一構成には同一符号を付与して説明を省略する。また、出力対象の本（ブック原稿）９００は、第１の実施形態と概ね同様であるため、図３を用いると共に、同一構成には同一符号を付与して説明を省略する。
【００５３】
図７において、管理サーバ４００は、本９００の画像読み取りを管理するための管理情報（ここでは、「ＩＤ番号」、「書名」、「著作権発生日」、「原本廃棄情報」を含む）のデータなどを記憶部４０４（図８に示す）に蓄積し、ディジタル複写機８０からの要求に応じて、画像読み取りの管理情報を返信すると共に、前記管理情報を書き換えるようにしたウェブサーバである。また、管理サーバ４００は、ネットワーク５００を介してディジタル複写機８０と通信すると共に、ネットワーク５００上の他のウェブサーバと通信するものである。ディジタル複写機８０は、管理サーバ４００から送られた管理情報と、操作表示部８０２（「指示入力手段」に含まれる）から指示入力されたサービス要求とにより、サービスメニュー（図５に示す）の「１．電子化サービス（原本保持）」、「２．電子化サービス（原本廃棄）」、「３．複写サービス」を提供するものであり、通信部８０９（「第１の通信手段」に含まれる）によりネットワーク５００と接続するようにしている。ネットワーク５００は、管理サーバ４００、ディジタル複写機８０を互いに接続して、通信するための通信網である。
【００５４】
なお、管理サーバ４００、ディジタル複写機８０を含むサーバ間の通信には、ＨＴＴＰ（Ｈｙｐｅｒ  Ｔｅｘｔ  Ｔｒａｎｓｆｅｒ  Ｐｒｏｔｏｃｏｌ）上でＳＯＡＰ（Ｓｉｍｐｌｅ  Ｏｂｊｅｃｔ  Ａｃｃｅｓｓ  Ｐｒｏｔｏｃｏｌ）を用いて通信する。もちろん、ＨＴＴＰを用いず、他のプロトコルを用いてもよいが、インターネット上でＨＴＴＰは、通常使用されるプロトコルなので、セキュリティの厳しいサイトでも使用される場合が多く、都合がよい。また、ＳＯＡＰを用いず、他のプロトコルを用いてもよいが、ＳＯＡＰは、他のサーバ上のウェブサービスを利用するには利用しやすいプロトコルなので好都合である。
【００５５】
図８は、管理サーバ４００（「管理装置」、「管理情報記憶装置」に含まれる）の構成を示す。
【００５６】
管理サーバ４００の通信部４０１（「第２の通信手段」に含まれる）は、ディジタル複写機８０から本９００の「ＩＤ番号」を含む「管理情報要求」を取得し、記憶部４０４から読み出した管理情報のデータをディジタル複写機８０（「画像読取手段」に含まれる）に送信するものである。記憶部４０４（「記憶手段」に含まれる）は、本９００の画像読み取りを管理するための「管理情報」のデータを例えば「ＩＤ番号」と関連付けて記憶している。前記管理情報には、前述の「書名」、「著作権発生日」、「原本廃棄情報」が含まれる。また、記憶部４０４は、記憶部４０４から読み出されたデータを保持するためのバッファメモリとして用いられる。制御部４０５（「更新手段」に含まれる）は、管理サーバ４００の各部を制御するものである。なお、ディジタル複写機８０の記憶部８９は、管理サーバ４００から送信された管理情報を記憶するようにしている。
【００５７】
次に、ディジタル複写機８０における読取制御プログラムを示す。この読取制御プログラムは、ディジタル複写機８０の制御部９０（コンピュータに含まれる）に、図９のステップを実行させるものである。
【００５８】
まず、ＭＰＵは、第１の実施形態に準じ、圧板８０６が開放されてコンタクトガラス上にブック原稿９００が載置され、さらに圧板８０６が閉じられたか否かを判断する（Ｓ２００）。この判断が「ＹＥＳ」の場合はＳ２０１に移り、「ＮＯ」の場合には何の処理も行わない。
【００５９】
Ｓ２０１では、第１の実施形態に準じ、ＩＣリーダ・ライタ８０７が、ブック原稿９００の背表紙に添付されたＩＣチップ９０１ａに記憶された識別情報のデータを非接触で読み取る。ここでは、「ＩＤ番号」が読み取られ、制御部９０へ送られる。この「ＩＤ番号」は、本９００の「書名」に対応すると共に、この「書名」で発行された複数の本を１部ずつ識別可能なように付与されたものである。
【００６０】
次いで、ＭＰＵは、通信部８０９に、ネットワーク５００を介して管理サーバ４００に対し、Ｓ２０１で取得された「ＩＤ番号」を含む「管理情報要求」を送信させる（Ｓ２０２）。
【００６１】
次いで、ＭＰＵは、第１の実施形態に準じ、「サービスメニュー」画面を液晶ディスプレイ８０２ａに表示させる（Ｓ２０３）。この「サービスメニュー」には、「１．電子化サービス（原本保持）」、「２．電子化サービス（原本廃棄）」、「３．複写サービス」がある。
【００６２】
次いで、ＭＰＵは、管理サーバ４００から前記「ＩＤ番号」に対応する「管理情報」が送信されたか否かを判断する（Ｓ２０４）。この判断が「ＹＥＳ」の場合はＳ２０５に移り、「ＮＯ」の場合には何の処理も行わない。
【００６３】
Ｓ２０５では、管理サーバ４００から送信された「管理情報」を制御部９０に保持する。ここでは、前記「ＩＤ番号」に対応する「書名」、「著作権発生日」、「原本廃棄情報」を保持する。
【００６４】
次いで、ＭＰＵは、第１の実施形態に準じ、操作部８０２ｂの操作で、「３．複写サービス」が選択されたか否かを判断する（Ｓ２０６）。この判断が「ＹＥＳ」の場合はＳ２０７に移り、「ＮＯ」の場合にはＳ２１５に移る。
【００６５】
Ｓ２０７では、第１の実施形態に準じ、操作部８０２ｂの操作で、「２．電子化サービス（原本廃棄）」が選択されたか否かを判断する。この判断が「ＹＥＳ」の場合はＳ２０８に移り、「ＮＯ」の場合にはＳ２１４に移る。
【００６６】
Ｓ２０８では、第１の実施形態に準じ、前記「ＩＤ番号」に対応する「原本廃棄情報」が変更可能か否かを判断する。ここでは、著作権が有効であって、原本廃棄がまだ行われていない場合は、「ＹＥＳ」と判断してＳ２０９に移り、「ＮＯ」と判断した場合には、処理を終了して画像読み取りを行わない。
【００６７】
Ｓ２０９では、通信部８０９に、ネットワーク５００を介して管理サーバ４００に対し、Ｓ２０１で取得された「ＩＤ番号」に対応する「管理情報」の更新要求を送信させる。ここで、更新要求対象の管理情報は、「原本廃棄情報」である。
【００６８】
次いで、ＭＰＵは、第１の実施形態に準じ、スキャナ部８０３によりブック原稿９００の開かれている頁の画像を読み取らせ、頁数をカウントする（Ｓ２１０）。
【００６９】
次いで、ＭＰＵは、第１の実施形態に準じ、Ｓ２１０で読み取られた画像の画像データを、記憶部８９の「保存用メモリ」に保存する（Ｓ２１１）。
【００７０】
次いで、ＭＰＵは、第１の実施形態に準じ、画像読み取りが終了したか否かを判断する（Ｓ２１２）。この判断が「ＹＥＳ」の場合はＳ２１３に移り、「ＮＯ」の場合にはＳ２１０に移る。
【００７１】
Ｓ２１３では、通信部８０９に、ネットワーク５００を介して管理サーバ４００に対し、サービス料金を算出して課金するよう「課金要求」を送信する。この「課金要求」には、「ＩＤ番号」、「サービス内容（例えば、「２．電子化サービス」で電子化した「頁数」）」、「使用者情報（例えば、「住所」、「氏名」）」が含まれる。なお、前記「使用者情報」は、操作表示部８０２の操作で「サービスメニュー」画面にガイダンス表示して入力するか、あるいは終了時（Ｓ２１２のＹＥＳ）に使用者情報入力用の画面を表示し、ここでガイダンス表示して入力するようにしている。
【００７２】
また、Ｓ２０６の判断が「ＹＥＳ」のとき、Ｓ２１５では、Ｓ２０５で保持された「原本廃棄情報」により、前記「ＩＤ番号」に対応する本が廃棄済みであるか否かを判断する。この判断が「ＹＥＳ」の場合は処理を終了して画像読取りを行わず、「ＮＯ」の場合にはＳ２１６に移る。
【００７３】
Ｓ２１６では、第１の実施形態に準じ、スキャナ部８０３によりブック原稿９００の開かれている頁の画像を読み取って、頁数をカウントする。
【００７４】
次いで、ＭＰＵは、Ｓ２１６で読み取られた画像データを印刷データとしてプリンタ部８０４に送り、出力を指示する。この指示タイミングにより、給紙部８０５からプリンタ部８０４へ所定サイズの印刷用紙が給送される。プリンタ部８０４は、前記印刷データを給紙部８０５からの印刷用紙に出力する（Ｓ２１７）。
【００７５】
次いで、ＭＰＵは、Ｓ２１８に準じ、画像読み取りが終了したか否かを判断する（Ｓ２１８）。この判断が「ＹＥＳ」の場合はＳ２１９に移り、「ＮＯ」の場合にはＳ２１６に移る。
【００７６】
Ｓ２１９では、Ｓ２１３に準じ、通信部８０９に、ネットワーク５００を介して管理サーバ４００に対し、サービス料金を算出して課金するよう「課金要求」を送信する。
【００７７】
また、Ｓ２０７の判断が「ＮＯ」のとき、Ｓ２１４では、Ｓ２０５で保持された「原本廃棄情報」により、前記「ＩＤ番号」に対応する本が廃棄済みであるか否かを判断する。この判断が「ＹＥＳ」の場合は処理を終了して画像読み取りを行わず、「ＮＯ」の場合にはＳ２１０に移る。
【００７８】
次に、管理サーバ４００における読取制御プログラムを示す。この読取制御プログラムは、管理サーバ４００の制御部４０５（コンピュータに含まれる）に、図１０のステップを実行させるものである。
【００７９】
まず、制御部４０５は、ディジタル複写機８０からの「管理情報要求」が通信部４０１により受信されたか否かを判断する（Ｓ３０１）。この判断が「ＹＥＳ」の場合はＳ３０２に移り、「ＮＯ」の場合にはＳ３０６に移る。前記管理情報要求には、「ＩＤ番号（「識別情報」に含まれる）」が含まれている。
【００８０】
Ｓ３０２では、Ｓ３０１で得られた「ＩＤ番号」により、記憶部４０４に記憶された管理情報のデータを検索する。
【００８１】
次いで、Ｓ３０２の検索により、前記「ＩＤ番号」と一致する「ＩＤ番号」が検出されたか否かを判断する（Ｓ３０３）。この判断が「ＹＥＳ」の場合はＳ３０４に移り、「ＮＯ」の場合にはＳ３０５に移る。
【００８２】
Ｓ３０４では、Ｓ３０３で検出された「ＩＤ番号」に対応する管理情報のデータを読み出す。
【００８３】
次いで、制御部４０５は、通信部４０１に、Ｓ３０４で取得された「管理情報」をネットワーク５００上のディジタル複写機８０に対して送信させる。
【００８４】
また、Ｓ３０３の判断が「ＮＯ」の場合、Ｓ３０５では、通信部４０１により、「前記ＩＤ番号に対応する管理情報が検出されない旨」の「エラーメッセージ」を、ネットワーク５００上のディジタル複写機８０に対して送信する。
【００８５】
また、Ｓ３０１の判断が「ＮＯ」の場合、Ｓ３０６では、ディジタル複写機８０からの「管理情報更新要求」が通信部４０１により受信されたか否かを判断する。この判断が「ＹＥＳ」の場合はＳ３０７に移り、「ＮＯ」の場合にはＳ３１１に移る。前記「管理情報更新要求」には、「ＩＤ番号」、原本を廃棄する旨の「原本廃棄情報」が含まれる。
【００８６】
Ｓ３０７では、Ｓ３０２に準じ、Ｓ３０１で得られた「ＩＤ番号」により、記憶部４０４に記憶された管理情報のデータを検索する。
【００８７】
次いで、Ｓ３０７の検索により、前記「ＩＤ番号」と一致する「ＩＤ番号」が検出されたか否かを判断する（Ｓ３０８）。この判断が「ＹＥＳ」の場合はＳ３０９に移り、「ＮＯ」の場合にはＳ３１０に移る。
【００８８】
Ｓ３０９では、Ｓ３０８で検出された「ＩＤ番号」に対応する管理情報のうち、「原本廃棄情報」を「廃棄済み」に変更する。
【００８９】
また、Ｓ３０８の判断が「ＮＯ」の場合、Ｓ３１０では、通信部４０１により、「前記ＩＤ番号に対応する管理情報が検出されない旨」の「エラーメッセージ」を、ネットワーク５００上のディジタル複写機８０に対して送信する。
【００９０】
また、Ｓ３０６の判断が「ＮＯ」の場合、Ｓ３１１では、ディジタル複写機８０からの「課金要求」が通信部４０１により受信されたか否かを判断する。この判断が「ＹＥＳ」の場合はＳ３１２に移り、「ＮＯ」の場合には何の処理も行わない。前記「課金要求」には、前述したように「ＩＤ番号」、「サービス内容（例えば、「２．電子化サービス」で電子化した「頁数」）」、「使用者情報（例えば、「住所」、「氏名」）」が含まれる。
【００９１】
Ｓ３１２では、Ｓ３１１で取得された「課金要求」により、前記「ＩＤ番号」が示す本に対する「サービス料金」を算出し、「使用者」に対して請求する。
【００９２】
なお、Ｓ２０５が「第１のステップ」に含まれる。Ｓ２０６、Ｓ２０７が「第２のステップ」に含まれる。Ｓ２１０が「第３のステップ」に含まれる。Ｓ３０９が「第４のステップ」に含まれる。
【００９３】
以上のように、本発明の第２の実施形態に係る画像読み取りシステムは、読み取りの対象となる対象情報が記録されたブック原稿９００（「第１の記録媒体」に含まれる）から、前記対象情報の画像を読み取るスキャナ部８０１（「第１の読取手段」に含まれる）、ブック原稿９００に付され、前記対象情報のＩＤ番号（「識別情報」に含まれる）が記録された、ＩＣチップ９００ａ（「書き込み可能な第２の記録媒体」に含まれる）から「ＩＤ番号」を読み取るＩＣ読取書込部８７（「第２の読取手段」に含まれる）、ブック原稿９００の画像読み取りを指示するための指示情報を入力する操作表示部８０２（「指示入力手段」に含まれる）、スキャナ部８０１の読み取り動作を制御する制御部９０（「読取制御手段」に含まれる）、及びネットワーク５００上の通信装置と通信するための通信部８０９（「第１の通信手段」に含まれる）を有するディジタル複写機８０（「画像読取装置」に含まれる）と、ネットワーク５００を介してディジタル複写機８０と通信するための通信部４０１（「第２の通信手段」に含まれる）、前記画像の読み取りを管理するための原本廃棄情報（「管理情報」に含まれる）をＩＤ番号と対応づけて記憶した記憶部４０４（「記憶手段」に含まれる）、及び記憶部４０４に記憶された「原本廃棄情報」を更新する制御部４０５（「更新手段」に含まれる）を有する管理サーバ４００（「管理装置」に含まれる）とを備え、操作表示部８０２から、ブック原稿９００の廃棄を前提として、ブック原稿９００の画像を読み取ることが指示入力された場合に、ディジタル複写機８０では、スキャナ部８０１が、制御部９０の制御により画像読み取りを実行すると共に、通信部８０９が、管理サーバ４００に対して「ＩＤ番号」を送信し、管理サーバ４００では、記憶部４０４が前記ＩＤ番号に対応する前記原本廃棄情報を取得し、通信部４０１が前記原本廃棄情報をディジタル複写機８０に対して送信し、ディジタル複写機８０では、制御部９０が、送信された前記原本廃棄情報の更新の可否（要否）を判断し、判断の結果に応じ、通信部８０９が管理サーバ４００に対して前記原本廃棄情報の更新を指示し、管理サーバ４００では、制御部４０５が前記原本廃棄情報を更新するように構成している。この構成により、例えば本ＩＤ（「ＩＤ番号」に相当する）による管理を行う場合でも、管理サーバ４００側の管理情報（「原本廃棄情報」を含む）を、操作表示部８０２からの指示入力や画像の読取履歴に応じて修正できるので、個人利用の場合に画像の読み取りを可能とするなど、著作権の有無に配慮しながら原稿の読み取りに関するサービスを多様化することができる。
【００９４】
なお、本発明はこのほかに、著作権情報に、著作権の「有効／無効」を示す情報、あるいは画像の読み取り又は複写に関する著作料の情報などを含んでいてもよい。また、管理サーバ４００側で自動的にサービス料金（「著作権料」を含む）を課金するとき、前述した情報を用いてもよい。さらに、ディジタル複写機８０側で、管理サーバ４００から送られてきた情報を表示部８０２ａに表示し、使用者が操作部８０２ｂを操作して前記情報を入力し、制御部９０が設定するようにしてもよい。この場合、図９のＳ２０３がＳ２０５の後となるように手順を変更することとなる。使用者は、表示部８０２ａに表示されたサービス料金により電子化サービス又は複写サービスの提供を受けるか否かを適確に判断できる。
【００９５】
［第３の実施形態］
本発明の第３の実施形態に係る画像形成システムは、第２の実施形態と概ね同様の構成を有しているために、図１、図２、図７、図８を用いると共に、同一構成には同一符号を付与して説明を省略する。また、出力対象の本（ブック原稿）９００は、第１の実施形態と概ね同様であるため、図３を用いると共に、同一構成には同一符号を付与して説明を省略する。
【００９６】
ここで、ディジタル複写機８０における読取制御プログラムを説明する。この読取制御プログラムは、ディジタル複写機８０の制御部９０（コンピュータに含まれる）に、図１１（ａ）のステップを実行させるものである。
【００９７】
まず、ＭＰＵは、第１の実施形態に準じ、圧板８０６が開放されてコンタクトガラス上にブック原稿９００が載置され、さらに圧板８０６が閉じられたか否かを判断する（Ｓ４０１）。この判断が「ＹＥＳ」の場合はＳ４０２に移り、「ＮＯ」の場合には何の処理も行わない。
【００９８】
Ｓ４０２では、第１の実施形態に準じ、ＩＣリーダ・ライタ８０７が、ブック原稿９００の背表紙に添付されたＩＣチップ９０１ａに記憶された識別情報のデータを非接触で読み取る。ここでは、「ＩＤ番号」が読み取られ、制御部９０へ送られる。この「ＩＤ番号」は、本９００の「書名」に対応すると共に、この「書名」で発行された複数の本を１部ずつ識別可能なように付与されたものである。
【００９９】
次いで、ＭＰＵは、通信部８０９に、ネットワーク５００を介して管理サーバ４００に対し、Ｓ４０２で取得された「ＩＤ番号」を含む「管理情報要求」を送信させる（Ｓ４０３）。
【０１００】
次いで、ＭＰＵは、管理サーバ４００から前記「ＩＤ番号」に対応する「管理情報」が送信されたか否かを判断する（Ｓ４０４）。この判断が「ＹＥＳ」の場合はＳ４０５に移り、「ＮＯ」の場合には何の処理も行わない。
【０１０１】
Ｓ４０５では、管理サーバ４００から送信された「管理情報」を制御部９０に保持する。ここでは、前記「ＩＤ番号」に対応する「書名」、「読取可否情報」を保持する。
【０１０２】
次いで、ＭＰＵは、Ｓ４０５で取得された「読取可否情報」により、当該ブック原稿の読み取りが可能であるか否かを判断する（Ｓ４０６）。この判断が「ＹＥＳ」の場合はＳ４０７に移り、「ＮＯ」の場合には処理を終了して画像読み取りを行わない。
【０１０３】
Ｓ４０７では、第１の実施形態に準じ、スキャナ部８０３によりブック原稿９００の開かれている頁の画像を読み取らせ、頁数をカウントする。
【０１０４】
次いで、ＭＰＵは、第１の実施形態に準じ、Ｓ４０７で読み取られた画像の画像データを、記憶部８９の「保存用メモリ」に保存する（Ｓ４０８）。
【０１０５】
次いで、ＭＰＵは、操作部８０２ｂの「複写キー」などのキー操作で、「複写」が選択されたか否かを判断する（Ｓ４０９）。この判断が「ＹＥＳ」の場合はＳ４１０に移り、「ＮＯ」の場合にはＳ４１１に移る。
【０１０６】
Ｓ４１０では、Ｓ４０９で読み取られた画像データを印刷データとしてプリンタ部８０４に送り、出力を指示する。この指示タイミングにより、給紙部８０５からプリンタ部８０４へ所定サイズの印刷用紙が給送される。プリンタ部８０４は、前記印刷データを給紙部８０５からの印刷用紙に出力する。
【０１０７】
次いで、ＭＰＵは、第１の実施形態に準じ、画像読み取りが終了したか否かを判断する（Ｓ４１１）。この判断が「ＹＥＳ」の場合はＳ４１２に移り、「ＮＯ」の場合にはＳ４０７に移る。
【０１０８】
Ｓ４１２では、画像読み取り又は複写の「サービス料金」表示を含む終了画面を液晶ディスプレイ８０２ａに表示する。
【０１０９】
次に、管理サーバ４００における読取制御プログラムを説明する。この読取制御プログラムは、管理サーバ４００の制御部４０５（コンピュータに含まれる）に、図１１（ｂ）のステップを実行させるものである。
【０１１０】
まず、制御部４０５は、第２の実施形態に準じ、ディジタル複写機８０からの「管理情報要求」が通信部４０１により受信されたか否かを判断する（Ｓ５０１）。この判断が「ＹＥＳ」の場合はＳ５０２に移り、「ＮＯ」の場合には何の処理も行わない。前記管理情報要求には、「ＩＤ番号（「識別情報」に含まれる）」が含まれている。
【０１１１】
Ｓ５０２では、Ｓ５０１で得られた「ＩＤ番号」により、記憶部４０４に記憶された管理情報のデータを検索する。
【０１１２】
次いで、Ｓ５０２の検索により、前記「ＩＤ番号」と一致する「ＩＤ番号」が検出されたか否かを判断する（Ｓ５０３）。この判断が「ＹＥＳ」の場合はＳ５０４に移り、「ＮＯ」の場合には何の処理も行わない。
【０１１３】
Ｓ５０４では、Ｓ５０３で検出された「ＩＤ番号」に対応する管理情報のデータを読み出し、この管理情報中に、前記「ＩＤ番号」を有する本の画像読み取りの可否を示す「読取可否情報」が設定されているか否かを判断する。この判断が「ＹＥＳ」の場合はＳ５０５に移り、「ＮＯ」の場合にはＳ５０７に移る。
【０１１４】
Ｓ５０５では、Ｓ５０３で検出された「ＩＤ番号」に対応する管理情報から、「連絡先（例えば、「著作権者の電話番号」、「著作権者のメールアドレス」、「著作権者専用サーバのアドレス」など）の情報」を読み出して、通信部４０１により、前記連絡先に本の画像読み取りの可否を問合せる。さらに、問合せ結果（ここでは、「読取可否情報」を示す）を取得する。
【０１１５】
次いで、制御部４０５は、Ｓ５０４で取得された「読取可否情報」により、記憶部４０４に記憶された管理情報のデータを更新（設定）する（Ｓ５０６）。
【０１１６】
次いで、制御部４０５は、通信部４０１に、Ｓ５０４で取得された「読取可否情報」をネットワーク５００上のディジタル複写機８０に対して送信させる（Ｓ５０６）。
【０１１７】
なお、Ｓ４０５が「第１のステップ」に含まれる。Ｓ４０１が「第２のステップ」に含まれる。Ｓ４０７が「第３のステップ」に含まれる。Ｓ５０６が「第４のステップ」に含まれる。
【０１１８】
以上のように、本発明の第３に実施形態に係る画像読取システムは、読み取りの対象となる対象情報が記録されたブック原稿９００（「第１の記録媒体」に含まれる）から、前記対象情報の画像を読み取るスキャナ部８０１（「第１の読取手段」に含まれる）、ブック原稿９００に付され、前記対象情報の「ＩＤ番号（「識別情報」に含まれる）」が記録された、ＩＣチップ９０１ａ（「書き込み可能な第２の記録媒体」に含まれる）から前記ＩＤ番号を読み取るＩＣ読取書込部８７（「第２の読取手段」に含まれる）、スキャナ部８０１の読み取り動作を制御する制御部９０（「読取制御手段」に含まれる）、及び他の通信装置と通信するための通信部８０９（「第１の通信手段」に含まれる）を有するディジタル複写機８０（「画像読取装置」に含まれる）と、前記画像の読み取りを管理するための「読取可否情報（「管理情報」に含まれる）」の「連絡先（「問合せ先」に相当する）」を前記ＩＤ番号と対応づけて記憶した記憶部４０４（「記憶手段」に含まれる）、ディジタル複写機８０及び前記連絡先と通信するための通信部４０１（「第２の通信手段」に含まれる）、及び前記連絡先に対する問合せ結果（「読取可否情報」に相当する）に応じて前記管理情報を更新する制御部４０５（「更新手段」に含まれる）を有する管理サーバ４００（「管理装置」に含まれる）とを備え、ディジタル複写機８０では、通信部８０９が管理サーバ４００に対して前記ＩＤ番号を送信し、管理サーバ４００では、記憶部４０４で前記ＩＤ番号に対応する前記連絡先を検出し、通信部４０１が前記連絡先に問合せて「読取可否情報」を取得し、制御部４０５が前記読取可否情報に応じて前記管理情報を更新し、通信部４０１が前記管理情報をディジタル複写機８０に送信し、ディジタル複写機８０では、通信部８０９が前記管理情報を取得し、制御部９０が前記管理情報によりスキャナ部８０１の読み取り動作を制御するように構成している。この構成により、例えば本ＩＤ（「ＩＤ番号」に相当する）による管理を行う場合でも、管理サーバ４００側の管理情報（「読取可否情報」を含む）を、管理情報の問合せ先からの応答によって修正できるので、著作権者に配慮しながら原稿の読み取りに関するサービスを多様化することができる。
【０１１９】
なお、上述した実施形態ではＩＣチップ９０１ａに記憶された識別情報を、ディジタル複写機８０から管理サーバ４００に送信し、管理サーバ４００に記憶された管理情報中の「連絡先」に問合せるようにした場合について説明したが、本発明はこのほかに、ＩＣチップ９０１ａに前記連絡先を含む管理情報を記憶し、前記連絡先を管理サーバ４００に送信するようにしても同様の効果が得られるものである。
【０１２０】
例えば、上述した画像読取システムに適用すると、読み取りの対象となる対象情報が記録されたブック原稿（図３の９００に相当する）から、画像を読み取るスキャナ部（図１の８０１に相当する）、前記ブック原稿に付され、前記画像の読み取りを管理するための管理情報の「連絡先（「問合せ先」に相当する）の情報」が記録された、書き込み可能なＩＣチップ（図３の９０１ａに相当する）から前記連絡先を読み取るＩＣリーダ・ライタ（図１の８０７に相当する）の読取部、前記ＩＣチップに記録された情報を更新するための書き込みを行う前記ＩＣリーダ・ライタの書込部、前記管理情報により前記スキャナ部の読み取り動作を制御する制御部（図２の９０に相当する）、及び前記連絡先と通信するための通信部（図１の８０９に相当する）を有するディジタル複写機（図１の８０に相当する）と、前記ディジタル複写機及び前記連絡先と通信するための通信部（図８の４０１に相当する）、前記連絡先に対する問合せ結果を前記ディジタル複写機に応答する管理サーバ（図７の４００に相当する）とを備え、前記ディジタル複写機では、前記ディジタル複写機の通信部により前記管理サーバに対して前記連絡先の情報を送信し、前記管理サーバでは、前記管理サーバの通信部により前記連絡先に問合せ、得られた「読取可否情報（「問合せ結果」に含まれる）」を前記ディジタル複写機に送信し、前記ディジタル複写機では、前記ＩＣリーダ・ライタが、前記管理サーバからの「読取可否情報」に応じて前記ＩＣチップに記録された情報を更新し、新たな管理情報とするように構成する。この構成が、請求項６に係る画像読取システムの一実施形態である。
【０１２１】
【発明の効果】
以上説明したように、本発明は第１の記録媒体を読み取る第１の読取手段と、第１の記録媒体に付され、画像読み取りを管理するための管理情報（「著作権発生日」を含む）が記録された、書き込み可能な第２の記録媒体から前記管理情報を読み取る第２の読取手段と、画像読み取りを指示するための指示情報（「原本廃棄」の有無を含む）を入力する指示入力手段と、前記管理情報及び前記指示情報により、読み取り動作を制御する読取制御手段とを設けることにより、書き換え可能な記録媒体が付された原稿の画像読み取りを制御できるという優れた効果を有する画像読取装置を提供することができるものである。
【図面の簡単な説明】
【図１】本発明の第１の実施形態に係るディジタル複写機の外観を示す斜視図である。
【図２】本発明の第１の実施形態に係るディジタル複写機の制御系のブロック図である。
【図３】本発明の第１の実施形態に係るブック原稿の載置状態を示す斜視図である。
【図４】本発明の第１の実施形態に係る読取制御方法を示すフローチャートである。
【図５】本発明の第１の実施形態に係るサービスメニュー画面を示す図である。
【図６】本発明の第１の実施形態に係るサービス料金画面（精算時）を示す図である。
【図７】本発明の第２の実施形態に係る画像読取システムのブロック図である。
【図８】本発明の第２の実施形態に係る管理サーバのブロック図である。
【図９】本発明の第２の実施形態に係る画像読取方法（ディジタル複写機側）を示すフローチャートである。
【図１０】本発明の第２の実施形態に係る画像読取方法（管理サーバ側）を示すフローチャートである。
【図１１】本発明の第３の実施形態に係る画像読取方法を示すフローチャートである。
【符号の説明】
８０  ディジタル複写機
８２ａ  表示部
８２ｂ  操作部
８７  ＩＣ読取書込部
８８  圧板開閉検知部
８９  記憶部
９０  制御部
８０１  原稿セット部
８０２  操作表示部
８０２ａ  液晶ディスプレイ
８０２ｂ  テンキー
８０３  スキャナ部
８０４  プリンタ部
８０５  給紙部
８０６  圧板
８０７  ＩＣリーダ・ライタ
８０８  圧板開閉センサ
８０９  通信部
【図１】
2004312573.tif 000003
【図２】
2004312573.tif 000004
【図３】
2004312573.tif 000005
【図４】
2004312573.tif 000006
【図５】
2004312573.tif 000007
【図６】
2004312573.tif 000008
【図７】
2004312573.tif 000009
【図８】
2004312573.tif 000010
【図９】
2004312573.tif 000011
【図１０】
2004312573.tif 000012
【図１１】
2004312573.tif 000013